(57)【特許請求の範囲】
【請求項１】
原画像データに対して所定の画像処理を施すことによって、画像を投写するプロジェクタに供給される画像データを生成する画像処理装置であって、
原画像データを入力する原画像データ入力部と、
前記原画像データに対して、前記プロジェクタの光軸と前記画像を投写するスクリーンの法線とのなす角度と、前記投写される画像と相対的に設定された基準点からの距離とに基づいて、前記投写される画像の各部位ごとに異なる強調度を設定し、該設定された強調度で表示明瞭度を強調する画像処理を施す画像処理部と、
を備える画像処理装置。
【請求項２】
請求項１記載の画像処理装置であって、
前記画像処理は、鮮鋭化処理である、画像処理装置。
【請求項３】
請求項１記載の画像処理装置であって、更に、
前記基準点を検出する基準点検出部を備える、
画像処理装置。
【請求項４】
請求項３記載の画像処理装置であって、
前記基準点は、前記投写された画像の合焦点位置である、画像処理装置。
【請求項５】
請求項４記載の画像処理装置であって、
前記基準点検出部は、
前記投写された画像を撮像する撮像手段と、
前記撮像された画像を解析することによって、前記合焦点位置を検出する合焦点位置検出手段と、
を備える画像処理装置。
【請求項６】
請求項１記載の画像処理装置であって、更に、
前記プロジェクタの光軸と前記画像を投写するスクリーンの法線とのなす角であるあおり角を検出するあおり角検出手段を備える、画像処理装置。
【請求項７】
請求項１記載の画像処理装置であって、更に、
前記表示明瞭度を強調するための補償係数と前記部位との関係を予め記憶する補償係数記憶部を備え、
前記画像処理部は、該補償係数記憶部によって与えられる補償係数を用いて前記画像処理を施す、画像処理装置。
【請求項８】
画像を投写するプロジェクタであって、
入力された原画像データに対して所定の画像処理を施すことによって画像データを生成する画像処理部と、
前記画像データに基づいて投写すべき画像を形成する画像形成部と、
前記画像を投写する投写光学系と、を備え、
前記画像処理部は、
前記原画像データに対して、前記プロジェクタの光軸と前記画像を投写するスクリーンの法線とのなす角度と、前記投写される画像と相対的に設定された基準点からの距離とに基づいて、前記投写される画像の各部位ごとに異なる強調度を設定し、該設定された強調度で表示明瞭度を強調する画像処理を施す、プロジェクタ。
【請求項９】
原画像データに対して所定の画像処理を施すことによって、画像を投写するプロジェクタに供給される画像データを生成する画像処理方法であって、
（ａ）前記原画像データを取得する工程と、
（ｂ）前記原画像データに対して、前記プロジェクタの光軸と前記画像を投写するスクリーンの法線とのなす角度と、前記投写される画像と相対的に設定された基準点からの距離とに基づいて、前記投写される画像の各部位ごとに異なる強調度を設定し、該設定された強調度で表示明瞭度を強調する画像処理を施す工程と、
を備える画像処理方法。
【請求項１０】
原画像データに対して所定の画像処理を施すことによって、画像を投写するプロジェクタに供給される画像データを生成するコンピュータプログラムであって、
前記原画像データを取得する機能と、
前記原画像データに対して、前記プロジェクタの光軸と前記画像を投写するスクリーンの法線とのなす角度と、前記投写される画像と相対的に設定された基準点からの距離とに基づいて、前記投写される画像の各部位ごとに異なる強調度を設定し、該設定された強調度で表示明瞭度を強調する画像処理を施す機能と、
をコンピュータに実現させるためのコンピュータプログラム。
【請求項１１】
請求項１０記載のコンピュータプログラムをコンピュータ読み取り可能に記録した記録媒体。
【発明の詳細な説明】
【０００１】
【発明の属する技術分野】
本発明は、プロジェクタによって投写される画像の画像処理に関する。
【０００２】
【従来の技術】
プロジェクタは、光源から入射された光を、液晶パネル等の光変調手段によって画像データに基づいて変調し、その変調光を投写光学系を用いてスクリーン上に結像させて画像を表示する。プロジェクタの使用に際しては、装置とスクリーンとの間の障害物が投写画像の観賞の妨げとならないように、いわゆる「あおり投写」が行われることが多い。
【０００３】
図１１は、プロジェクタ１００を用いてスクリーンＳＣ上に画像Ｐを投写する様子を示す説明図である。図１１（ａ）に示すように、プロジェクタ１００の投射光学系の光軸とスクリーンＳＣの法線とのなす角度（あおり角）が０の場合には、図１１（ｂ）に示すように、画像Ｐは、歪みのない正規の形状で投写される。一方、図１１（ｃ）に示すように、プロジェクタ１００の投射光学系の光軸とスクリーンＳＣの法線とのなす角度がθ（≠０）となる条件で垂直方向にあおり投写する場合には、図１１（ｄ）に示すように、画像Ｐ’は、台形に歪んだ形状で投写される。
【０００４】
近年、このような光学的な画像歪み（一般に、台形歪、キーストーン歪と呼ばれる）を画像処理によって正規の形状（例えば長方形）に補正する技術が一般化されている。これによって、プロジェクタの設置の自由度が高くなり、ユーザは、あおり角を従来よりも大きくして設置することが多くなった。更に、ユーザは、スクリーンの法線に対してプロジェクタの投射光学系の光軸を水平方向に大きく傾けて設置する場合も増加した。
【０００５】
図１２は、プロジェクタ１００を用いて水平方向にあおり角θ’であおり投写した場合の様子を示す説明図である。なお、本明細書中で「あおり投写」とは、プロジェクタの投写光学系の光軸をスクリーンＳＣの法線に対して垂直方向に傾ける場合だけでなく、水平方向に傾ける場合も含むものとする。この場合も、垂直方向のあおり投射の場合と同様に、画像処理によって投写画像Ｐ”の形状を長方形に補正することは可能である。
【０００６】
【発明が解決しようとする課題】
ところで、プロジェクタは、投写レンズの焦点距離を調整することによって、スクリーンＳＣ上に画像を鮮明に投写する。しかし、スクリーンＳＣ上で焦点が合う位置は一部のみであり、その他の位置では厳密には焦点が合わない。そして、焦点が合わない位置では、投写される画像はピントのボケた不明瞭な画像となる。従来、あおり角を比較的小さくして投写していたときは、この焦点距離のずれは小さく、画質の低下はそれ程気にならなかった。一方、あおり角を比較的大きくして投写すると、スクリーンＳＣ上の位置によって焦点距離のずれが大きくなり、画質の低下が顕著に視認されるようになった。このようなピントボケによる画質の低下は、特に、投写距離やあおり角を任意に設定可能な、いわゆるフロント・プロジェクタで顕著である。
【０００７】
上述した画質の低下は、あおり投写に限らず、画像の投写に共通の課題であった。この課題を光学系の改善によって解決することは非常に困難であった。
【０００８】
本発明は、上述の課題を解決するためになされたものであり、プロジェクタによって投写される画像の焦点距離のずれによる画質低下を容易に抑制する技術を提供することを目的とする。
【０００９】
【課題を解決するための手段およびその作用・効果】
上述の課題の少なくとも一部を解決するため、本発明では、以下の構成を採用した。
本発明の画像処理装置は、
原画像データに対して所定の画像処理を施すことによって、画像を投写するプロジェクタに供給される画像データを生成する画像処理装置であって、
原画像データを入力する原画像データ入力部と、
前記原画像データに対して、前記投写される画像の各部位ごとに異なる強調度で表示明瞭度を強調する画像処理を施す画像処理部と、
を備えることを要旨とする。
【００１０】
先に説明したように、プロジェクタによる画像の投写においては、スクリーン上で投写レンズの焦点の合う部位は、厳密には一部のみである。従って、この他の部位では焦点は合わず、表示明瞭度が低下した画像となる。つまり、投写される画像の各部位ごとに表示明瞭度の低下の程度が異なる。
【００１１】
通常、プロジェクタに供給される画像データを生成する画像処理装置では、画質を向上させたり、画質の低下を抑制する画像処理は、原画像データ全体に対して均一に施される。本発明では、原画像データに対して、投写される画像の各部位ごとに異なる強調度で画質の低下を補償するように表示明瞭度を強調する画像処理を施す。この結果、プロジェクタで投写される画像の各部位ごとに光学的な焦点距離の調整を行うことなく、画像処理装置での画像処理によって焦点距離のずれによる画質低下を容易に抑制することができる。なお、「各部位ごと」とは、「各画素ごと」であってもよいし、「各領域ごと」であってもよい。
【００１２】
本発明の画像処理装置において、表示明瞭度を強調する画像処理として、コントラスト調整や輝度調整など種々の画像処理を適用可能であるが、
前記画像処理は、鮮鋭化処理であることが好ましい。
【００１３】
こうすることによって、ピントのボケた不明瞭な画像を、画像の各部位におけるボケ具合に応じて鮮鋭化処理（シャープネス調整）することができるので、画質低下を抑制することができる。なお、鮮鋭化処理を施すと、画像のコントラストや輝度などもその影響を受ける場合がある。従って、鮮鋭化処理とともに、その強調度に応じてコントラスト調整や輝度調整も行うようにしてもよい。シャープネス調整に関わらず、画像の各部位ごとにコントラスト調整や輝度調整等の表示明瞭度に影響を与える画像処理を行うようにしてもよい。
【００１４】
また、本発明の画像処理装置において、
前記強調度は、前記投写される画像と相対的に設定された基準点からの距離に応じて異なるようにすることが好ましい。
【００１５】
一般に、投写レンズの焦点距離のずれによる画質の低下は、スクリーン上で焦点距離が最も合っている点を中心として同心円状に２次元的に広がる。従って、基準点からの距離に応じて異なる強調度で表示明瞭度を強調することによって、効果的に画質低下を抑制することができる。なお、「基準点」は、投写される画像と相対的に設定された点であるので、必ずしも投写される画像上の点でなくてもよい。つまり、投写される画像の外の領域であってもよい。また、基準点は、予め設定された点であってもよいし、ユーザによって任意に設定された点であってもよい。
【００１６】
上記画像処理装置において、
前記基準点は、前記投写された画像の合焦点位置であることが好ましい。
【００１７】
スクリーン上に投写される画像は、合焦点位置を中心に画質が低下する。従って、合焦点位置を基準点とすることによって、画質低下をより効果的に抑制することができる。
【００１８】
上記画像処理装置において、合焦点位置は、ユーザの目視によって検出することもできるが、更に、
前記投写された画像を撮像する撮像手段と、
前記画像を解析することによって、前記合焦点位置を検出する合焦点検位置出手段と、
を備えるようにすることが好ましい。
【００１９】
こうすることによって、自動的に合焦点位置を検出し、基準点として利用できるので、画像処理装置の利便性を向上することができる。合焦点位置の検出は、例えば、所定の空間周波数を有するテスト画像をプロジェクタで投写して、投写画像を撮像し、その空間周波数分布を解析することによって行うことができる。こうすれば、撮像したテスト画像の空間周波数の分布から、正確に合焦点位置を検出することができる。
【００２０】
また、上記画像処理装置において、
前記強調度は、更に、前記プロジェクタの光軸と前記画像を投写するスクリーンの法線とのなす角度に応じて設定されることが好ましい。
【００２１】
こうすることによって、プロジェクタの多様な設置条件に応じて、各部位ごとの画像処理の強調度を柔軟に設定して、画像処理を施すことができる。なお、「プロジェクタの光軸」とは、プロジェクタが備える投写光学系の光軸、あるいは、投写レンズの光軸と同義である。また、本明細書中において、プロジェクタの光軸とスクリーンの法線とのなす角のことを、単に「あおり角」とも呼ぶ。
【００２２】
上記画像処理装置において、あおり角は、プロジェクタの設置条件に応じて、ユーザによって設定された値とすることもできるが、更に、
前記プロジェクタの光軸と前記画像を投写するスクリーンの法線とのなす角度であるあおり角を検出するあおり角検出手段を備えるようにすることが好ましい。
【００２３】
こうすることによって、自動的にあおり角を検出し、利用することができるので、画像処理装置の利便性を向上することができる。あおり角検出手段としては、例えば、超音波センサでスクリーン上の３点までの距離を測定し、測定結果からあおり角を検出する手段を適用することが可能である。また、垂直方向のあおり角については、プロジェクタの垂直方向のあおり角を調整するための脚と連動させて検出するようにすることも可能である。
【００２４】
本発明の画像処理装置において、更に、
前記表示明瞭度を強調するための補償係数と前記部位との関係を予め記憶する補償係数記憶部を備え、
前記画像処理部は、該補償係数記憶部によって与えられる補償係数を用いて前記画像処理を施すようにすることができる。
【００２５】
こうすることによって、補償係数を補償係数記憶部から適宜読み出して、高速に画像処理を施すことができる。
【００２６】
本発明は、プロジェクタ（投写型表示装置）の発明として構成することもできる。即ち、本発明のプロジェクタは、
画像を投写するプロジェクタであって、
入力された原画像データに対して所定の画像処理を施すことによって画像データを生成する画像処理部と、
前記画像データに基づいて投写すべき画像を形成する画像形成部と、
前記画像を投写する投写光学系と、を備え、
前記画像処理部は、
前記原画像データに対して、前記投写される画像の各部位ごとに異なる強調度で表示明瞭度を強調する画像処理を施すことを要旨とする。
【００２７】
本発明では、先に画像処理装置の発明で説明したのと同様に、画像処理部での画像処理によって投写される画像の各部位の表示明瞭度を補償することができる。従って、前記投写光学系で画像の各部位ごとに光学的な焦点距離の補償を行うことなく、表示画像の画質の低下を抑制することができる。
【００２８】
本発明は、上述の画像処理装置、プロジェクタとしての構成の他、画像処理方法の発明として構成することもできる。また、これらを実現するコンピュータプログラム、およびそのプログラムを記録した記録媒体、そのプログラムを含み搬送波内に具現化されたデータ信号など種々の態様で実現することが可能である。なお、それぞれの態様において、先に示した種々の付加的要素を適用することが可能である。
【００２９】
本発明をコンピュータプログラムまたはそのプログラムを記録した記録媒体等として構成する場合には、画像処理装置やプロジェクタを駆動するプログラム全体として構成するものとしてもよいし、本発明の機能を果たす部分のみを構成するものとしてもよい。また、記録媒体としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【００３０】
【発明の実施の形態】
以下、本発明の実施の形態について、実施例に基づき以下の順で説明する。
Ａ．プロジェクタの全体構成：
Ｂ．ビデオプロセッサの内部構成：
Ｃ．輪郭補償：
Ｄ．変形例：
【００３１】
Ａ．プロジェクタの全体構成：
図１は、本発明の実施例としてのプロジェクタ１０の全体構成を示す説明図である。このプロジェクタ１０は、アナログ画像入力端子１２と、ディジタル画像入力端子１４と、３つのＡ−Ｄ変換器２０と、ビデオデコーダ（同期分離回路）２２と、フレームメモリ２４と、ビデオプロセッサ２６と、液晶パネル駆動部３０と、液晶パネル３２と、リモートコントローラ制御部３４と、を備えている。なお、フレームメモリ２４とビデオプロセッサ２６とは、１つの画像処理用集積回路６０として集積化されている。
【００３２】
このプロジェクタ１０は、また、液晶パネル３２を照明するための照明装置５０と、液晶パネル３２を透過した透過光をスクリーンＳＣ上に投射する投写光学系５２とを備えている。液晶パネル３２は、透過型の液晶パネルであり、照明装置５０から射出された照明光を変調するライトバルブ（光変調器）として使用されている。なお、液晶パネル３２が本発明の画像形成部に相当する。また、照明装置５０と投写光学系５２とが本発明の投写光学系に相当する。また、これら以外が本発明の画像処理部、画像処理装置に相当する。
【００３３】
なお、図示は省略しているが、このプロジェクタ１０は、ＲＧＢの３色分の３枚の液晶パネル３２を有している。また、後述する各回路は３色分の画像信号を処理する機能を有している。照明装置５０は、白色光を３色の光に分離する色光分離光学系を有している。また、投写光学系５２は、３色の画像光を合成してカラー画像を表す画像光を生成する合成光学系を有している。なお、このようなプロジェクタ（投写型表示装置）の光学系の構成については、例えば本出願人により開示された特願平８−３５２００３号公報に詳述されているので、ここではその説明は省略する。
【００３４】
入力画像信号としては、アナログ画像入力端子１２に入力されるアナログ画像信号ＡＶと、ディジタル画像入力端子１４に入力されるディジタル画像信号ＤＶとのうちのいずれか一方を選択的に利用可能である。アナログ画像信号ＡＶは、Ａ−Ｄ変換器２０によって３色の画像信号成分を含むディジタル画像信号に変換される。
【００３５】
ビデオプロセッサ２６に入力された画像信号は、フレームメモリ２４内に一時的に格納された後、フレームメモリ２４から読み出されて液晶パネル駆動部３０に供給される。ビデオプロセッサ２６は、この書き込みと読み出しの間に、入力された画像信号に対して種々の画像処理を実行する。液晶パネル駆動部３０は、与えられた画像信号に応じて、液晶パネル３２を駆動するための駆動信号を生成する。液晶パネル３２は、この駆動信号に応じて照明光を変調する。
【００３６】
ユーザは、リモートコントローラ４０を使用して、シャープネス調整や、コントラスト調整、輝度調整等の、画像全体に対して施す各種の調整のための設定値を入力することが可能である。また、後述するプロジェクタ１０の設置条件に応じて各画素ごとに異なる強度で行うシャープネス調整に関する設定値を入力することも可能である。また、図示は省略しているが、プロジェクタ１０の本体にも、各種の設定値を入力するためのキーやボタンが設けられている。
【００３７】
Ｂ．ビデオプロセッサの内部構成：
図２は、ビデオプロセッサ２６の内部構成を示すブロック図である。ビデオプロセッサ２６は、フレームメモリコントローラ６２と、台形歪補正部６４と、拡大／縮小制御部６６と、画質調整部６８と、輪郭補償部７０とを備えている。
【００３８】
フレームメモリコントローラ６２は、図１に示したＡ−Ｄ変換器２０またはビデオデコーダ２２から供給されるディジタル画像信号ＤＶ０をフレームメモリ２４に書き込むとともに、フレームメモリ２４からディジタル画像信号を読み出すための制御を行う。
【００３９】
台形歪補正部６４は、プロジェクタ１０によって、あおり投写がなされるときに生じる台形歪みを画像処理によって補正する。拡大／縮小制御部６６は、ユーザの設定に従って画像の拡大や縮小を実行するとともに、拡大や縮小の際に、必要に応じて補間処理を行う。画質調整部６８は、ユーザの設定に従って画像全体のコントラストや輝度やシャープネス等を調整する。なお、台形歪補正部６４、拡大／縮小制御部６６、画質調整部６８での処理は、周知であるので、詳細な説明は省略する。
【００４０】
輪郭補償部７０は、プロジェクタ１０の設置条件に応じて各画素ごとに異なる強度でシャープネス調整を行う。この輪郭補償部７０は、あおり角入力部７１と、基準点入力部７２と、補償係数生成部７３とを備えている。
【００４１】
あおり角入力部７１は、あおり角の垂直成分θｖと水平成分θｈとを入力する。図３は、あおり角の各成分について示す説明図である。図示するように、あおり角の水平成分θｈは、スクリーンＳＣの法線ＯＮとｘ軸とのなす平面へのプロジェクタ１０の投写光学系５２の光軸の投影ＯＨとスクリーンＳＣの法線ＯＮとのなす角度である。また、あおり角の垂直成分θｖは、プロジェクタ１０の投写光学系５２の光軸とＯＨとのなす角度である。あおり投写を行わない場合は、あおり角入力部７１は、あおり角の各成分として０を入力する。
【００４２】
これらの値は、ユーザがプロジェクタ１０の設置状態に応じて、リモートコントローラ４０等で設定した値である。なお、入力されたあおり角は、上述した台形歪補正部６４においても利用される。
【００４３】
基準点入力部７２は、スクリーンＳＣ上に投写される画像ＰＧ上の焦点が合う位置である合焦点位置を基準点（ｘi，ｙi）として入力する。図４は、基準点の設定について示す説明図である。図４（ａ）に示すように、基準点のデフォルト値は、画像の中央に設定されていている。これは、ユーザが画像の中央に焦点を合わせることが多いからである。デフォルトの基準点を利用する場合、ユーザは、投写時に焦点を画像の中央に合わせるようにする。基準点は、ユーザが任意に設定することも可能である。例えば、プロジェクタ１０の各種設定を行うためのメニューに基準点の入力の項目を設けるようにする。そして、図４（ｂ）に示すように、ユーザは、リモートコントローラ４０を用いてカーソルＣを画像ＰＧの左下に合わせることによって基準点を画像の左下に設定することができる。この場合、ユーザは、投写時に自らが設定した基準点に焦点を合わせる。
【００４４】
補償係数生成部７３は、あおり角入力部７１が入力したあおり角の垂直成分θｖおよび水平成分θｈと、基準点入力部７２が入力した基準点とを用いて、画像の各部位のシャープネス調整に用いる補償係数Ｇを生成する。補償係数Ｇについては、後述する。
【００４５】
Ｃ．輪郭補償：
図５は、輪郭補償部７０の構成を示すブロック図である。輪郭補償部７０は、輪郭補償データ生成回路７４と、遅延回路７５と、乗算器７６と、加算器７７とを備えている。遅延回路７５の遅延量は、水平方向には１画素分、垂直方向には１ライン分である。
【００４６】
図６は、輪郭補償データ生成回路７４の構成を示すブロック図である。輪郭補償データ生成回路７４は、水平フィルタ８０と、垂直フィルタ９０とが直列に接続された２次元フィルタである。水平フィルタ８０は、２つの水平遅延回路８１，８２と、３つの乗算器８３，８４，８５と、加算器８６とで構成されたＦＩＲフィルタ（有限インパルス応答フィルタ）である。水平遅延回路８１，８２の遅延量Ｄｈは、１画素分である。また、乗算器８３，８４，８５で乗算される値、即ち、フィルタ係数は、それぞれ−１／４，１／２，−１／４である。垂直フィルタ９０も水平フィルタ８０と同様の構成を有している。即ち、垂直フィルタ９０は、２つの水平遅延回路９１，９２と、３つの乗算器９３，９４，９５と、加算器９６とで構成されたＦＩＲフィルタである。水平遅延回路９１，９２の遅延量Ｄｖは、１ライン分である。また、乗算器９３，９４，９５で乗算される値、即ち、フィルタ係数は、それぞれ−１／４，１／２，−１／４である。これらのフィルタ係数は、一般的なシャープネス調整に用いられる値である。
【００４７】
図７は、輪郭補償部７０での画像処理について示す説明図である。図中の各マスは、それぞれ画素を表している。また、マス中には、画像データを示した。輪郭補償部７０には、画質調整部６８（図２参照）で生成された画像データが画像の左上から順次入力される。今、図７の右下に示した画素Ａまで画像データが入力されたものとする。このときの画像処理（シャープネス調整）の対象画素は、図７の中央に示した画素Ｂである。これは、遅延回路７５の遅延量が水平方向（ｘ方向）に１画素分、垂直方向（ｙ方向）に１ライン分だからである。輪郭補償データ生成回路７４では、図示した９画素分の画像データを用いて輪郭補償データが生成される。そして、図５から分かるように、この輪郭補償データと補償係数生成部７３で生成された補償係数Ｇとが乗算され、この乗算結果と対象画素である画素Ｂの画像データＮ（ｉ−１，ｊ−１）とが加算される。こうして、画素Ｂの輪郭補償処理後の画像データが生成される。これらの処理は、全ての画素について順次実行される。なお、補償係数Ｇは、後述するように、各画素ごとに生成され、シャープネス調整の強調度を決定している。
【００４８】
図８は、補償係数生成部７３で生成される補償係数Ｇの分布を示す説明図である。図８（ａ）は、図４（ａ）に示した基準点（ｘi，ｙi）が画像の中央に設定されている場合の補償係数Ｇの分布を示している。また、図８（ｂ）は、図４（ｂ）に示した基準点（ｘi，ｙi）が画像の左下に設定されている場合の補償係数Ｇの分布を示している。補償係数生成部７３は、あおり角の水平成分θｈと、垂直成分θｖと、基準点（ｘi，ｙi）と、処理対象の画素位置（ｘ，ｙ）とを用いて補償係数Ｇを生成する。なお、画像の左上が画素位置（１，１）に対応する。本実施例では、各画素位置（ｘ，ｙ）における補償係数Ｇ（ｘ，ｙ）は、以下に示す関数によって算出するものとした。
【００４９】
Ｇ（ｘ，ｙ）＝１＋Ａ（ｘ，θｈ）＋Ｂ（ｙ，θｖ）＋Ｃ
ここで、
Ａ（ｘ，θｈ）＝ｓｉｎ（θｈ・π／１８０）・｜ｘ−ｘi｜／ｘ_ｍａｘ
Ｂ（ｙ，θｖ）＝ｓｉｎ（θｖ・π／１８０）・｜ｙ−ｙi｜／ｙ_ｍａｘ
Ｃ：定数
である。
【００５０】
上式において、｜ｘ−ｘi｜と｜ｙ−ｙi｜は、処理対象画素と基準点との距離に関係する値である。ｘ_ｍａｘおよびｙ_ｍａｘは、それぞれ液晶パネル３２の水平方向および垂直方向の画素数に対応する。例えば、液晶パネル３２がＸＧＡ解像度である場合には、ｘ_ｍａｘ，ｙ_ｍａｘは、それぞれ１０２４，７６８となる。また、定数Ｃは、任意に設定可能であり、画像全体に施すシャープネス調整の強調度を表している。従って、画質調整部６８（図２参照）での画像全体の画質調整で定数Ｃに相当するシャープネス調整を行ってもよい。
【００５１】
本実施例では、水平方向と垂直方向で独立かつ線形の関数Ａ，Ｂを用いて補償係数Ｇを生成したが、投写光学系５２の光学特性に応じて、他の任意の関数に従って、生成するようにしてもよい。例えば、水平方向と垂直方向とが独立でない関数や、非線形の関数を適用してもよい。
【００５２】
また、各あおり角における処理対象画素と基準点との距離と、補償係数との関係を表したルックアップテーブルを用意し、これを参照して補償係数を生成するようにしてもよい。こうすれば、上記演算を実行することなく、高速に補償係数を生成することができる。
【００５３】
図９は、輪郭補償部７０で行われる処理の流れを示すフローチャートである。ビデオプロセッサ２６のＣＰＵが実行する処理である。まず、原画像データを入力する（ステップＳ１００）。本実施例では、この原画像データは、画質調整部６８で生成されたデータである。次に、先に説明した補償係数生成用の各パラメータを入力する（ステップＳ１１０）。そして、先に説明した輪郭補償データおよび関数に従って、各画素ごとの補償係数Ｇを生成する（ステップＳ１２０）。そして、輪郭補償処理（シャープネス調整）を実行する（ステップＳ１３０）。そして、全画素について処理が終了したか否かを判定する（ステップＳ１４０）。終了していなければ、以上のステップＳ１００〜ステップＳ１３０の処理を繰り返す。全画素について終了すれば、この処理を抜ける。こうして処理された画像データは、液晶パネル駆動部３０に供給される。
【００５４】
プロジェクタ１０による画像の投写においては、投写光学系の焦点距離を調整しても、スクリーンＳＣ上で焦点の合う位置は厳密には一点のみである。従って、この他の位置では、ピントボケによる画質の低下が生じる。以上説明した本実施例のプロジェクタ１０によれば、画像データに対して、各画素ごとに異なる強調度でピントボケを補償するようにシャープネス調整を施すことができる。この結果、各画素について光学的な調整を行うことなく、画像処理によって画質の低下を容易に抑制することができる。また、プロジェクタ１０のスクリーンＳＣの法線に対するあおり角および基準点（合焦点位置）に基づいて、各画素についてのシャープネス調整の強調度を変化させることができるので、多様な設置条件に応じて柔軟に画像処理を施すことができる。
【００５５】
以上で説明した本実施例のプロジェクタは、コンピュータによる処理を含んでいることから、この処理を実現するためのプログラムを記録した記録媒体としての実施の態様を採ることもできる。このような記録媒体としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置等の、コンピュータが読み取り可能な種々の媒体を利用できる。
【００５６】
Ｄ．変形例：
以上、本発明のいくつかの実施の形態について説明したが、本発明はこのような実施の形態になんら限定されるものではなく、その要旨を逸脱しない範囲内において種々なる態様での実施が可能である。例えば、以下のような変形例が可能である。
【００５７】
Ｄ１．変形例１：
図１０は、変形例としてのプロジェクタ１０Ａの輪郭補償部７０Ａの構成を示す説明図である。プロジェクタ１０Ａは、上記実施例のプロジェクタ１０の構成の他に、あおり角検出手段７８と、基準点検出手段７９とを備えている。そして、輪郭補償部７０Ａは、これらと接続されている。あおり角検出手段７８は、超音波センサによってスクリーンＳＣ上の所定の３点までの距離を測定し、測定結果からあおり角の垂直成分および水平成分を自動検出する装置である。なお、他の手段によってあおり角の垂直成分および水平成分を検出するようにしてもよい。あおり角入力部７１は、あおり角検出手段７８での検出結果を入力する。基準点検出手段７９は、図示しない撮像装置と、撮像された画像の空間周波数を解析することによって合焦点位置を検出する検出装置とを備えており、投写された画像の合焦点位置を自動検出することが可能である。基準点入力部７２は、基準点検出手段７９で検出された合焦点位置を基準点として入力する。なお、合焦点位置の自動検出に際し、所定の空間周波数を有するテスト画像を投写して、撮像し解析することが好ましい。こうすれば、撮像したテスト画像の空間周波数分布から、より正確に合焦点位置を検出することができる。このような変形例のプロジェクタ１０Ａによれば、自動的にあおり角および基準点を入力して、これらに基づいた画像処理を実行することができるので、プロジェクタの利便性を向上することができる。
【００５８】
Ｄ２．変形例２：
上記実施例では、画素ごとに強調度を変化させてシャープネス調整を行っているが、画像領域ごとに強調度を変化させてシャープネス調整を行うようにしてもよい。例えば、画像の８×８のブロック（画像領域）ごとに同じ補償係数を適用するものとし、基準点から各ブロックの中央までの距離に応じた補償係数でシャープネス調整を行うようにすることができる。
【００５９】
Ｄ３．変形例３：
上記実施例では、画素ごとに強調度を変化させてシャープネス調整を行っているが、これに限られるものではない。本発明は、一般に、プロジェクタで投写される画像の各部位ごとに異なる強調度で表示明瞭度を強調する画像処理を施すものである。従って、シャープネス調整に関わらず、各部位ごとにコントラスト調整や輝度調整等の表示明瞭度に影響を与える画像処理を行うようにしてもよい。
【００６０】
Ｄ４．変形例４：
上記実施例では、補償係数の生成に用いるパラメータとして、あおり角度および合焦点位置を適用しているが、プロジェクタとスクリーンとの距離を含めるようにしてもよい。プロジェクタとスクリーンとの距離も投写される画像の表示明瞭度に影響を与えるパラメータであるからである。
【００６１】
Ｄ５．変形例５：
上記実施例では、輪郭補償データ生成回路７４として、ディジタルフィルタである２次元のＦＩＲフィルタを用いたが、他のフィルタ、例えば、アナログフィルタや、空間フィルタを用いるようにしてもよい。また、ソフトウェアによって同様の処理を行うようにしてもよい。
【００６２】
Ｄ６．変形例６：
上記実施例では、透過型液晶パネルを利用したプロジェクタの構成について説明したが、本発明は、他のタイプのプロジェクタにも適用可能である。他のタイプのプロジェクタとしては、反射型液晶パネルを利用したものや、マイクロ・ミラー・デバイス（テキサスインスツルメント社の商標）を用いたもの、また、ＣＲＴを用いたものなどがある。また、プロジェクタは、いわゆるフロント・プロジェクタであってもよいし、リア・プロジェクタであってもよい。
【図面の簡単な説明】
【図１】本発明の実施例としてのプロジェクタ１０の全体構成を示す説明図である。
【図２】ビデオプロセッサ２６の内部構成を示すブロック図である。
【図３】あおり角の各成分について示す説明図である。
【図４】基準点の設定について示す説明図である。
【図５】輪郭補償部７０の構成を示すブロック図である。
【図６】輪郭補償データ生成回路７４の構成を示すブロック図である。
【図７】輪郭補償部７０での画像処理について示す説明図である。
【図８】補償係数生成部７３で生成される補償係数Ｇの分布を示す説明図である。
【図９】輪郭補償部７０で行われる処理の流れを示すフローチャートである。
【図１０】変形例としての輪郭補償部７０Ａの構成を示す説明図である。
【図１１】プロジェクタ１００を用いてスクリーンＳＣ上に画像Ｐを投写する様子を示す説明図である。
【図１２】プロジェクタ１００を用いて水平方向にあおり角θ’であおり投写した場合の様子を示す説明図である。
【符号の説明】
１０，１０Ａ…プロジェクタ
１２…アナログ画像入力端子
１４…ディジタル画像入力端子
２０…Ａ−Ｄ変換器
２２…ビデオデコーダ
２４…フレームメモリ
２６…ビデオプロセッサ
３０…液晶パネル駆動部
３２…液晶パネル
３４…リモートコントローラ制御部
４０…リモートコントローラ
５０…照明装置
５２…投写光学系
６０…画像処理用集積回路
６２…フレームメモリコントローラ
６４…台形歪補正部
６６…拡大／縮小処理回路
６８…画質調整部
７０，７０Ａ…輪郭補償部
７１…あおり角入力部
７２…基準点入力部
７３…補償係数生成部
７４…輪郭補償データ生成回路
７５…遅延回路
７６…乗算器
７７…加算器
７８…あおり角検出手段
７９…基準点検出手段
８０…水平フィルタ
８１，８２…水平遅延回路
８３〜８５…乗算器
８６…加算器
９０…垂直フィルタ
９１，９２…垂直遅延回路
９３〜９５…乗算器
９６…加算器
１００…プロジェクタ
【図１】
0003664114.tif 000002
【図２】
0003664114.tif 000003
【図３】
0003664114.tif 000004
【図４】
0003664114.tif 000005
【図５】
0003664114.tif 000006
【図６】
0003664114.tif 000007
【図７】
0003664114.tif 000008
【図８】
0003664114.tif 000009
【図９】
0003664114.tif 000010
【図１０】
0003664114.tif 000011
【図１１】
0003664114.tif 000012
【図１２】
0003664114.tif 000013